(57)【特許請求の範囲】
【請求項１】
被検眼の眼底を照明する照明光学系と、前記眼底を撮影する撮影光学系と、前記被検眼の視線を固定するための固視標が先端に設けられた固視標杆と、前記固視標杆を前記照明光学系の光路に対して挿脱可能とすると共に前記固視標の位置を調整する固視標杆位置調整装置とを備えた眼底カメラにおいて、
前記眼底の合焦状態を検出する合焦指標光束を投影する合焦指標投影光学系と、前記合焦指標光束を前記光路に合流させる反射面を先端部に有しかつ該先端部が前記光路に対して挿脱される反射部材と、前記固視標杆が前記光路から離脱されたか否かを検知する固視標杆位置検知手段と、該固視標杆位置検知手段の出力に基づき前記反射部材の先端部を前記光路に挿入させる制御手段とを備えている眼底カメラ。
【請求項２】
前記固視標杆が前記光路から退避されたことを前記固視標杆位置検知手段が検出したときに前記反射部材の先端部が前記光路に挿入可能となる請求項１に記載の眼底カメラ。
【請求項３】
合焦指標投影スイッチを操作すると前記反射部材の先端部が前記光路に挿入される請求項２に記載の眼底カメラ。
【請求項４】
撮影スイッチを操作すると撮影実行前に前記制御手段により、前記反射部材の先端部が自動的に前記光路から退避されると共に撮影実行後前記光路に自動的に挿入されることを特徴とする請求項３に記載の眼底カメラ。
【請求項５】
前記固視標杆は前記光路から退避されたときにその退避位置でロックされることを特徴とする請求項４に記載の眼底カメラ。
【請求項６】
合焦指標投影スイッチを操作すると前記固視標杆がロックされると共に反射部材の先端部が前記光路に挿入され、前記合焦指標投影スイッチを再度操作すると前記固視標杆のロックが解除されることを特徴とする請求項２に記載の眼底カメラ。
【請求項７】
撮影スイッチを操作すると撮影実行前に前記制御手段により、前記反射部材の先端部が自動的に前記光路から退避されると共に撮影実行後前記光路に自動的に挿入されることを特徴とする請求項６に記載の眼底カメラ。
【発明の詳細な説明】
【０００１】
【発明の属する技術分野】
本発明は、観察時に被検眼の視線を固定するための固視標を先端に備えた固視標杆を照明光学系の光路に挿入して被検眼を固定することができると共に、合焦調整時に合焦指標を被検眼の眼底に投影するための反射部材を照明光学系の光路に挿入し、撮影時にはその反射部材を照明光学系の光路から退避させて撮影時の合焦指標の写り込みを回避することが可能な眼底カメラに関するものである。
【０００２】
【従来の技術】
従来から、眼底カメラには、観察時に被検眼の視線を固定するための固視標を先端に備えた固視標杆を照明光学系の光路に挿入し、その固視標の位置を調整することにより被検眼を誘導して被検眼の視線を固定する構成のものが知られている（例えば、実公昭５３−３０８７９号公報参照）。
【０００３】
このものでは、弱視の人、斜視の人が固視標の方向を見ているか否かを検者が確実に確認できるようにするため、固視標杆を照明光学系の光路内に挿入したときに固視標杆の先端部が眼底と共役な位置に配備される構成とされている。
【０００４】
また、眼底カメラには、合焦調整時に合焦指標を被検眼の眼底に投影するための反射部材を照明光学系の光路に挿入し、撮影時にはその反射部材を照明光学系の光路から退避させて撮影時の合焦指標の写り込みを回避する構成のものも知られている（例えば、特公昭６１−９１号公報参照）。
【０００５】
【発明が解決しようとする課題】
そこで、実公昭５３−３０８７９号公報に記載の固視標杆と特公昭６１−９１号公報に記載の反射部材とを照明光学系に設けることにすれば、観察時に弱視の人、斜視の人が固視標の方向を見ているか否かを検者が確実に確認できると共に、合焦調整時に合焦指標を検者が確認でき、撮影時にはその合焦指標の写り込みを回避することができて使い勝ってがより良好な眼底カメラとなるが、固視標杆と反射部材とを照明光学系の光路内で眼底と共役な位置の狭い空間に設けなければならず、また、合焦調整時には反射部材を光路に挿入しかつ撮影時には反射部材を光路から瞬時に退避させなければならないために、固視標杆と反射部材とを設ける構成とすると、固視標杆の位置調整中に、又は、反射部材の光路内への挿脱中に、反射部材と指標杆とが衝突して反射部材と指標杆とが相互に傷つくおそれがある。
【０００６】
本発明は、上記の事情に鑑みて為されたもので、その目的とするところは、固視標杆と反射部材とを設けた場合であっても、固視標杆の位置調整中に、又は、反射部材の光路内への挿脱中に、反射部材と指標杆とが衝突して反射部材と指標杆とが相互に傷つくのを防止することができる眼底カメラを提供することにある。
【０００７】
【課題を解決するための手段】
請求項１に記載の眼底カメラは、被検眼の眼底を照明する照明光学系と、前記眼底を撮影する撮影光学系と、前記被検眼の視線を固定するための固視標が先端に設けられた固視標杆と、前記固視標杆を前記照明光学系の光路に対して挿脱可能とすると共に前記固視標の位置を調整する固視標杆位置調整装置とを備えた眼底カメラにおいて、
前記眼底の合焦状態を検出する合焦指標光束を投影する合焦指標投影光学系と、前記合焦指標光束を前記光路に合流させる反射面を先端部に有しかつ該先端部が前記光路に対して挿脱される反射部材と、前記固視標杆が前記光路から離脱されたか否かを検知する固視標杆位置検知手段と、該固視標杆位置検知手段の出力に基づき前記反射部材の先端部を前記光路に挿入させる制御手段とを備えている。
【０００８】
請求項２に記載の眼底カメラは、前記固視標杆が前記光路から退避されたことを前記固視標杆位置検知手段が検出したときに前記反射部材の先端部が前記光路に挿入可能となることを特徴とする。
【０００９】
請求項３に記載の眼底カメラは、合焦指標投影スイッチを操作すると前記反射部材の先端部が前記光路に挿入されることを特徴とする。
【００１０】
請求項４に記載の眼底カメラは、撮影スイッチを操作すると撮影実行前に前記制御手段により、前記反射部材の先端部が自動的に前記光路から退避されると共に撮影実行後前記光路に自動的に挿入されることを特徴とする。
【００１１】
請求項５に記載の眼底カメラは、前記固視標杆は前記光路から退避されたときにその退避位置でロックされることを特徴とする。
【００１２】
請求項６に記載の眼底カメラは、合焦指標投影スイッチを操作すると前記固視標杆がロックされると共に反射部材の先端部が前記光路に挿入され、前記合焦指標投影スイッチを再度操作すると前記固視標杆のロックが解除されることを特徴とする。
【００１３】
請求項７に記載の眼底カメラは、撮影スイッチを操作すると撮影実行前に前記制御手段により、前記反射部材の先端部が自動的に前記光路から退避されると共に撮影実行後前記光路に自動的に挿入されることを特徴とする。
【００１４】
【発明の実施の形態】
【００１５】
【発明の実施の形態１】
図１は眼底カメラの外観図を示している。この図１において、１はベース、２は架台、３は眼底カメラ本体、４は顔受け部材である。架台２にはジョイステッィク５が設けられ、ジョイステッィク５の頂部には撮影スイッチ６が設けられている。架台２はジョイステッィク５を操作することによりベース１に対して前後左右方向に移動される。
【００１６】
顔受け部材４は被検者の顎を受ける顎受け部７、被検者の額が当たる額当て８が設けられている。８’は外部固視標である。眼底カメラ本体３には画角切り替えレバー８Ａ、合焦レンズ調整ハンドル９、固視標杆調整装置の一部を構成する固視標杆操作つまみ１０、その他の操作部材が設けられている。
【００１７】
眼底カメラ本体３の内部には図２に示す光学系が設けられている。
【００１８】
その光学系は、照明光学系１１と撮影光学系１２とから大略構成されている。照明光学系１１は凹面反射鏡１３、ハロゲンランプ等の観察光源１４、リレーレンズ１５、キセノン管等の撮影光源１６、コンデンサレンズ１７、反射ミラー１８、リング状スリット１９、リレーレンズ２０、穴空きミラー２１、対物レンズ２２から大略構成され、符号Ｏｅはその照明光学系１１の光路である。
【００１９】
観察光源１４を点灯すると観察光束がリレーレンズ１５、コンデンサレンズ１７、反射ミラー１８、リング状スリット１９、リレーレンズ２０からなる光路Ｏｅを経由して穴空きミラー２１に導かれ、この穴空きミラー２１により反射されて被検眼Ｅに向けられ、その瞳孔を通して眼底Ｅｒに照射され、これにより、眼底Ｅｒが照明される。また、撮影スイッチ６をオンすると所定のタイミングで撮影光源１６が発光され、撮影光束が照明光学系１１の光路Ｏｅを通って観察光束と同様に眼底Ｅｒに導かれて、眼底Ｅｒを照明する。
【００２０】
撮影光学系１２は対物レンズ２２、合焦レンズ２３、結像レンズ２４、変倍レンズ２５、光路切り替え部材２６から大略構成されている。眼底Ｅｒからの反射光束（蛍光撮影の場合には眼底からの蛍光）は対物レンズ２２により集光され、撮影光学系１２の光路Ｏｐに配設された穴空きミラー２１の穴部２１ａを通って合焦レンズ２３に導かれ、結像レンズ２４を通じて、眼底カメラ本体３に装着の３５ｍｍカメラ２７に導かれる。
【００２１】
３５ｍｍカメラ２７はクイックリターンミラー２８、接眼レンズ２９、フィルム３０を大略備え、フィルム３０は結像レンズ２４に関して眼底Ｅｒと共役位置に位置されている。合焦レンズ２３は合焦レンズ調整ハンドル９により撮影光学系１２の光路Ｏｐに沿って前後され、これにより、眼底Ｅｒの合焦調整が行われる。この合焦レンズ調整ハンドル９を操作することにより後述する合焦指標投影ユニットが合焦レンズ２３に連動して照明光学系１１の光路Ｏｅに沿って前後される。変倍レンズ２５は低倍撮影のときには撮影光学系１２の光路Ｏｐから退避され、高倍撮影のときには光路Ｏｐに挿入され、低倍撮影と変倍撮影の切り替えは、画角切り替えレバー８Ａを操作することにより行われる。光路切り替え部材２６は光路Ｏｅに挿入された挿入位置と光路Ｏｅから退避された退避位置との間の二位置を選択可能とされ、光路切り替え部材２６は光路Ｏｅに挿入すると眼底Ｅｒからの光束は図示を略すＴＶリレーレンズユニットに向けて反射されることになるが、この発明には直接関係しないのでその詳細は省略する。
【００２２】
固視標杆操作つまみ１０には図３に拡大して示すように固視標杆３１が設けられ、固視標杆３１の先端部３２には固視標３３が設けられている。眼底カメラ本体３には、固視標杆３１を案内する案内溝３４が図３、図４に示すように形成されている。固視標杆３１の先端部３２はリング状スリット１９とリレーレンズ２０との間の狭い空間で眼底Ｅｒと略共役な位置に設けられている。この固視標杆３１には図５に拡大して示すように案内部材３５が設けられ、案内部材３５は眼底カメラ本体３に固定の軸部３６、３７に回動可能に保持されている。案内部材３５には案内穴３６’が形成され、固視標杆３１は固視標杆操作つまみ１０を矢印Ａ−Ａ方向に操作することにより固視標杆３１の延びる方向に前後動可能とされ、固視標杆操作つまみ１０を案内溝３４に沿って移動させることにより、軸部３６、３７を中心に矢印Ｂ−Ｂ方向に回動され、その固視標杆操作つまみ１０を操作することにより、図６に示すように、観察視野Ｆｉ内で固視標３３の位置を二次元的に調整することができ、これにより、被検眼Ｅの視線を所望の方向に向けてその視線を固定することができる。そして、固視標杆操作つまみ１０を「ＯＦＦ（オフ）」と表示されている方向に操作すると、照明光学系１１の光路Ｏｅから固視標杆３１の先端部３２が退避するようにされている。
【００２３】
照明光学系１１にはリング状スリット板１９とリレーレンズ２０との間に合焦指標投影ユニット３８が設けられている。この合焦指標投影ユニット３８にはＬＥＤ３９、ピンホール板４０、コリメートレンズ４１、反射部材４２が設けられている。この反射部材４２は図４に示すようにロータリソレノイド４３によって回動されるもので、反射部材４２の基部はロータリソレノイド４３の駆動軸４４に固定されている。その反射部材４２の先端部は４５度にカットされて、カット面が鏡面加工されて合焦指標の反射面４５とされている。この反射部材４２は照明光学系１１の光路に挿入された位置とこの光路から退避された位置との二位置を取ることが可能で、反射部材４２が矢印Ｃ方向に回動されると反射面４５が光路に挿入され、矢印Ｄ方向に回動されると反射面４５が光路から退避される。この反射面４５は光路に挿入された状態のときに、眼底Ｅｒと略共役な位置に位置される。
【００２４】
眼底カメラ本体３には固視標杆３１の位置を検出する固視標位置検出手段としてのマイクロスイッチ４６が設けられている。マイクロスイッチ４６には固視標杆３１を受ける固視標杆受け４７が設けられている。マイクロスイッチ４６は作動バネ４８を有し、固視標杆操作つまみ１０をオフ位置に向かって動かすと固視標杆３１がマイクロスイッチ４６の存在する方向に向かって回動され、これにより、マイクロスイッチ３１がオンすると共に、固視標杆３１が固視標杆受け４７に当接される。
【００２５】
固視標杆受け４７には図７に示すようにロックバー４８が設けられている。このロックバー４８は常時は固視標杆受け４７の内部に引き込まれており、後述する合焦指標投影スイッチをオンすると所定の条件のときに固視標杆３１をロックするように進出される。
【００２６】
マイクロスイッチ４６の出力は制御手段としての制御回路４９に入力され、制御回路４９は撮影スイッチ６、合焦指標投影スイッチ５１が接続されている。その制御回路４９の作用は、図８に示すフローチャートと共に説明する。
【００２７】
まず、固視標杆３１を操作することにより被検眼Ｅの視線を所望の位置に固定する（Ｓ．１）。固視標杆３１を照明光学系１１の光路から退避させると、マイクロスイッチ４６がオンする（Ｓ．２）。すると、制御回路４９は反射部材４２が照明光学系１１の光路に挿入可能状態になるように制御する（Ｓ．３）。すなわち、合焦指標投影スイッチ５１の入力が受け付け可能状態となる。合焦指標投影スイッチ５１をオンすると（Ｓ．４）、制御回路４９は固視標杆受け４７にロック信号を出力する。これにより、ロックバー４８が進出され、固視標杆３１が図７に示すようにロックされる（Ｓ．５）。その直後に、ロータリソレノイド４３が駆動されて、反射部材４２が照明光学系１１の光路に挿入される（Ｓ．６）。
【００２８】
これにより、合焦指標光束が反射面４５により反射されて光路Ｏｅに合流され、眼底Ｅｒに投影される。ここで、ピント合わせを行って、撮影スイッチ６をオンすると（Ｓ．７）、反射部材４２が一時的に瞬時に照明光学系１１の光路から退避され（Ｓ．８）、撮影光源１６が発光される（Ｓ．９）。これにより、眼底像が写し込まれるが、合焦指標の写り込みは防止される。眼底像の写し込みが終わった直後に、反射部材４２が瞬時に照明光学系１１の光路に挿入される（Ｓ．１０）。繰り返し撮影を行うときには（Ｓ．１１）、Ｓ．７〜Ｓ．１１のステップを繰り返し、繰り返し撮影を行わないときには、合焦指標投影スイッチ５１を再度オンすると（Ｓ．１２）、反射部材４２が照明光学系１１の光路から退避され（Ｓ．１３）、反射部材４２が照明光学系１１の光路から退避された後に、固視標杆３１のロックが解除される（Ｓ．１４）。
【００２９】
この固視標杆３１のロックが解除された状態で、固視標杆操作つまみ１０を操作して固視標杆３１を照明光学系１１の光路に挿入すると（Ｓ．１５）、マイクロスイッチ４６がオフされる（Ｓ．１６）。すると、制御回路４９は反射部材４２が照明光学系１１の光路に挿入不可能な状態となるように制御する（Ｓ．１７）。すなわち、合焦指標投影スイッチ５１の入力の受付け禁止状態となる。
【００３０】
従って、この発明の実施の形態によれば、固視標杆３１と反射部材４２との両方が同時に照明光学系１１の光路に挿入されることを確実に防止できるので、反射部材４２と指標杆３１とが衝突して反射部材４２と指標杆３１とが相互に傷つくことを確実に回避できる。
【００３１】
【変形例】
図９は指標杆をロックするロック機構を設けない構成のフローチャートを示している。
【００３２】
まず、指標杆３１と反射部材４２とが初期状態にセットされているものとする。すなわち、指標杆３１と反射部材４２とが照明光学系１１の光路から退避されて、マイクロスイッチ４６がオンとなっているものとする（Ｓ．１）。
【００３３】
固視標杆操作つまみ１０の挿脱操作により（Ｓ．２）、固視標杆３１を照明光学系３１の光路に挿入すると、マイクロスイッチ４６がオフする（Ｓ．３）。制御回路４９はこのマイクロスイッチ４６のオフにより合焦指標投影スイッチ５１をオンしてもロータリソレノイド４３が回転しないように制御する。すなわち、合焦指標投影スイッチ５１の入力の受付けを禁止する（Ｓ．４）。次に、固視標杆３１の位置を調整することにより被検眼Ｅの視線を誘導し、被検眼Ｅの視線を固定する（Ｓ．５）。
【００３４】
次に、固視標杆３１の挿脱操作を行い（Ｓ．６）、固視標杆３１が照明光学系３１の光路から退避されると、マイクロスイッチ４６がオンする（Ｓ．７）。制御回路４９は合焦指標投影スイッチ５１をオンするとロータリーソレノイド４３が回転するように制御する（Ｓ．８）。すなわち、合焦指標投影スイッチ５１の入力受付け可能状態となる。
【００３５】
次に、合焦指標投影スイッチ５１をオンすると（Ｓ．９）、反射部材４２が照明光学系１１の光路に挿入される（Ｓ．１０）。ここで、合焦調整を行って（Ｓ．１１）、撮影スイッチ６をオンすると（Ｓ．１２）、反射部材４２が照明光学系１１の光路から瞬時に一時的に退避され（Ｓ．１３）、撮影光源１６が発光され（Ｓ．１４）、その後、反射部材４２が照明光学系１１の光路に瞬時に挿入される（Ｓ．１５）。ここで、固視標杆３１の挿脱操作を行い（Ｓ．１６）、固視標杆３１が照明光学系１１の光路に挿入されると、マイクロスイッチ４６がオフされ（Ｓ．１７）、ロータリソレノイド４６の回転により反射部材４２が照明光学系１１の光路から退避される（Ｓ．１８）。
【００３６】
この変形例の場合も、固視標杆３１が光路Ｏｅに挿入されると、反射部材４２が光路Ｏｅから退避されるので、相互干渉が防止される。
【００３７】
【発明の効果】
本発明は、以上説明したように構成したので、固視標杆と反射部材とを設けた場合であっても、固視標杆の位置調整中に、又は、反射部材の光路内への挿脱中に、反射部材と指標杆とが衝突して反射部材と指標杆とが相互に傷つくのを防止することができる。
【図面の簡単な説明】
【図１】  本発明の眼底カメラの外観図である。
【図２】  本発明の眼底カメラの光学系を示す図である。
【図３】  図１に示す指標杆位置調整装置の拡大斜視図である。
【図４】  本発明に係わる眼底カメラの要部構成を示す図である。
【図５】  図４に示す固視標杆受け部材の拡大図である。
【図６】  観察視野内に見える固視標杆の先端部を説明するための図である。
【図７】  図４に示す固視標杆受けのロックバーを説明するための図である。
【図８】  ロック機構を有する眼底カメラの動作フローチャート図である。
【図９】  ロック機構のない眼底カメラの動作フローチャートである。
【符号の説明】
１１…照明光学系
１２…撮影光学系
３１…固視標杆
３３…固視標
４２…反射部材
４６…マイクロスイッチ（固視標杆位置検出手段）
４９…制御回路（制御手段）
Ｅ…被検眼
Ｅｒ…眼底
Ｏｅ…光路
【図１】
0003953657.tif 000002
【図２】
0003953657.tif 000003
【図３】
0003953657.tif 000004
【図４】
0003953657.tif 000005
【図５】
0003953657.tif 000006
【図６】
0003953657.tif 000007
【図７】
0003953657.tif 000008
【図８】
0003953657.tif 000009
【図９】
0003953657.tif 000010